(57)【要約】【課題】商品が冷却され過ぎることによる課題がなく、冷却システムの停止時間を長くできる自動販売機を提供する。【解決手段】冷却システム１８を強制的に駆動停止させるピークカット運転に先立って、冷却販売する第１商品１５と第２商品１６を冷却システム１８によりピークカット運転の分まで冷やし込むピークシフト運転を行う自動販売機１であって、制御手段１４が、ピークシフト運転時におけるピークカット運転に移行するまでの予め決められた移行時間は、冷却販売する第１商品１５と第２商品１６を収納した第１商品収納室３と第２商品収納室４の第１蒸発器５と第２蒸発器６に送風する第１蒸発器用送風機１０と第２蒸発器用送風機１１を停止させる。【選択図】図１
2015225566.tif 000002
【特許請求の範囲】
【請求項１】
冷却システムを強制的に駆動停止させるピークカット運転に先立って、冷却販売する商品を前記冷却システムにより前記ピークカット運転の分まで冷やし込むピークシフト運転を行う自動販売機であって、
前記ピークシフト運転時における前記ピークカット運転に移行するまでの予め決められた移行時間は、冷却販売する商品を収納した庫内の蒸発器に送風する庫内ファンを停止させる自動販売機。
【請求項２】
冷却システムを強制的に駆動停止させるピークカット運転に先立って、冷却販売する商品を前記冷却システムにより前記ピークカット運転の分まで冷やし込むピークシフト運転を行う自動販売機の運転方法であって、
前記ピークシフト運転時における前記ピークカット運転に移行するまでの予め決められた移行時間は、冷却販売する商品を収納した庫内の蒸発器の表面の着霜量を強制的に増やす自動販売機の運転方法。
【請求項３】
冷却システムを強制的に駆動停止させるピークカット運転に先立って、冷却販売する商品を前記冷却システムにより前記ピークカット運転の分まで冷やし込むピークシフト運転を行う自動販売機の運転方法であって、
冷却販売する商品を収納した庫内の蒸発器の表面に通常よりも厚く霜を付着させた状態で前記ピークカット運転を開始する自動販売機の運転方法。
【発明の詳細な説明】
【技術分野】
【０００１】
本発明は、一日のうちで電力需要が比較的高い日中の所定時間帯になると冷却システムを強制的に停止させる自動販売機とその運転方法に関するものである。
【背景技術】
【０００２】
従来のこの種の自動販売機としては、日中は冷却システムを強制的に停止させるピークカット運転を行い、ピークカット運転を行う前に、庫内の設定温度を通常運転時よりも低くして庫内を充分に冷やし込むピークシフト運転を行い、ピークシフト運転時におけるピークカット運転に移行するまでの予め決められた移行時間は、庫内温度に関係なく冷却システム（圧縮機）を強制的に駆動させることにより、庫内の保冷時間を長くした自動販売機があった（例えば、特許文献１参照）。
【先行技術文献】
【特許文献】
【０００３】
【特許文献１】特開２０１０−２３８０７１号公報
【発明の概要】
【発明が解決しようとする課題】
【０００４】
しかしながら、特許文献１に開示された従来の自動販売機では、ピークシフト運転時におけるピークカット運転に移行するまでの移行時間に、庫内温度に関係なく冷却システム（圧縮機）を強制的に駆動させるために、商品が冷却され過ぎて商品の品質を損ねたり、商品が飲料商品で、その飲料が凍結してしまった場合は、直ぐに飲めないという課題があった。
【０００５】
本発明は、上記従来の課題に鑑み、商品が冷却され過ぎることによる課題がなく、冷却システムの停止時間を長くできる自動販売機とその運転方法を提供することを目的としている。
【課題を解決するための手段】
【０００６】
上記目的を達成するために本発明の自動販売機は、ピークシフト運転時におけるピークカット運転に移行するまでの予め決められた移行時間は、冷却販売する商品を収納した庫内の蒸発器に送風する庫内ファンを停止させるのである。
【０００７】
上記構成において、前記移行時間に庫内の蒸発器に送風する庫内ファンを停止させると、その蒸発器は庫内の空気との熱交換量が減って、蒸発器の表面温度と庫内の空気の温度との温度差が大きくなり、その結果、蒸発器への着霜が促進され、ピークカット運転の開始時には蒸発器は通常よりも厚い霜（氷）で覆われる。
【０００８】
そして、氷は、保冷材（蓄冷材）として機能するので、蒸発器に霜（氷）が残っている間は、ピークカット運転中の庫内温度の上昇を抑制することができる。
【０００９】
したがって、商品が冷却され過ぎることによる課題がなく、低コストで、冷却システムの停止時間を長くすることができる。
【００１０】
また、本発明の自動販売機の運転方法は、ピークシフト運転時におけるピークカット運転に移行するまでの予め決められた移行時間は、冷却販売する商品を収納した庫内の蒸発器の表面の着霜量を強制的に増やすのである。
【００１１】
また、別の本発明の自動販売機の運転方法は、冷却販売する商品を収納した庫内の蒸発器の表面に通常よりも厚く霜を付着させた状態で前記ピークカット運転を開始するのである。
【００１２】
氷は、保冷材（蓄冷材）として機能するので、蒸発器に霜（氷）が残っている間は、ピークカット運転中の庫内温度の上昇を抑制することができる。
【００１３】
したがって、商品が冷却され過ぎることによる課題がなく、低コストで、冷却システムの停止時間を長くすることができる。
【発明の効果】
【００１４】
本発明によれば、商品が冷却され過ぎることによる課題がなく、低コストで、冷却システムの停止時間を長くすることができる。
【図面の簡単な説明】
【００１５】
【図１】本発明の実施の形態の自動販売機を前後に縦に切断した場合の内部の概略構成を示す概略構成図
【図２】本発明の実施の形態の自動販売機のブロック図
【図３】本発明の実施の形態の自動販売機の冷媒流路切替動作を示すフローチャート
【図４】本発明の実施の形態の自動販売機の時刻による運転モードの切替動作を示すフローチャート
【発明を実施するための形態】
【００１６】
第１の発明は、冷却システムを強制的に駆動停止させるピークカット運転に先立って、冷却販売する商品を前記冷却システムにより前記ピークカット運転の分まで冷やし込むピークシフト運転を行う自動販売機であって、前記ピークシフト運転時における前記ピークカット運転に移行するまでの予め決められた移行時間は、冷却販売する商品を収納した庫内の蒸発器に送風する庫内ファンを停止させることを特徴とする。
【００１７】
上記構成において、前記移行時間に庫内の蒸発器に送風する庫内ファンを停止させると、その蒸発器は庫内の空気との熱交換量が減って、蒸発器の表面温度と庫内の空気の温度との温度差が大きくなり、その結果、蒸発器への着霜が促進され、ピークカット運転の開始時には蒸発器は通常よりも厚い霜（氷）で覆われる。
【００１８】
そして、氷は、保冷材（蓄冷材）として機能するので、蒸発器に霜（氷）が残っている間は、ピークカット運転中の庫内温度の上昇を抑制することができる。
【００１９】
したがって、商品が冷却され過ぎることによる課題がなく、低コストで、冷却システムの停止時間を長くすることができる。
【００２０】
第２の発明は、冷却システムを強制的に駆動停止させるピークカット運転に先立って、冷却販売する商品を前記冷却システムにより前記ピークカット運転の分まで冷やし込むピークシフト運転を行う自動販売機の運転方法であって、前記ピークシフト運転時における前記ピークカット運転に移行するまでの予め決められた移行時間は、冷却販売する商品を収納した庫内の蒸発器の表面の着霜量を強制的に増やすことを特徴とする。
【００２１】
氷は、保冷材（蓄冷材）として機能するので、蒸発器に霜（氷）が残っている間は、ピークカット運転中の庫内温度の上昇を抑制することができる。
【００２２】
したがって、商品が冷却され過ぎることによる課題がなく、低コストで、冷却システムの停止時間を長くすることができる。
【００２３】
第３の発明は、冷却システムを強制的に駆動停止させるピークカット運転に先立って、冷却販売する商品を前記冷却システムにより前記ピークカット運転の分まで冷やし込むピークシフト運転を行う自動販売機の運転方法であって、冷却販売する商品を収納した庫内の蒸発器の表面に通常よりも厚く霜を付着させた状態で前記ピークカット運転を開始することを特徴とする。
【００２４】
氷は、保冷材（蓄冷材）として機能するので、蒸発器に霜（氷）が残っている間は、ピークカット運転中の庫内温度の上昇を抑制することができる。
【００２５】
したがって、商品が冷却され過ぎることによる課題がなく、低コストで、冷却システムの停止時間を長くすることができる。
【００２６】
以下、本発明による自動販売機の実施の形態について、図面を参照しながら説明する。なお、この、実施の形態によって本発明が限定されるものではない。
【００２７】
（実施の形態１）
図１は本発明の実施の形態１の自動販売機を示す構成図である。図１に示すように、本実施の形態の自動販売機１の本体は、冷却販売する商品を収納するための商品収納室が断熱仕切り板２によって第１商品収納室３と第２商品収納室４に分けられている。第１商品収納室３には第１蒸発器５が、第２商品収納室４には第２蒸発器６が設置されている。
【００２８】
また、自動販売機１の本体下部には、第１蒸発器５と第２蒸発器６とが並列に接続された冷媒回路の冷媒を循環させる圧縮機９を含む冷却システム１８が設置されている。
【００２９】
第１蒸発器５への冷媒流路と第２蒸発器６への冷媒流路との分岐点から第１蒸発器５に冷媒を導くための冷媒流路にはその冷媒流路を開閉するための第１冷媒流路開閉手段７が設けられており、第１蒸発器５への冷媒流路と第２蒸発器６への冷媒流路との分岐点から第２蒸発器６に冷媒を導くための冷媒流路にはその冷媒流路を開閉するための第２冷媒流路開閉手段８が設けられている。
【００３０】
本実施の形態では、第１冷媒流路開閉手段７には電磁弁１７ａ、第２冷媒流路開閉手段８には電磁弁１７ｂを用いている。
【００３１】
第１商品収納室３には第１商品１５が収納されており、第１蒸発器５の近傍には第１蒸発器用送風機１０が設置され、第１商品収納室３内の空気を循環させている。また第１庫内温度検出手段１２によって第１商品収納室３内の庫内温度が検出される。
【００３２】
第２商品収納室４には第２商品１６が収納されており、第２蒸発器６の近傍には第２蒸発器用送風機１１が設置され、第２商品収納室４内の空気を循環させている。また第２庫内温度検出手段１３によって第２商品収納室４内の庫内温度が検出される。
【００３３】
第１蒸発器５には第１蒸発器温度検出手段１９が設置され第１蒸発器５の温度を検出する。第２蒸発器６には第２蒸発器温度検出手段２０が設置され第２蒸発器６の温度を検出する。
【００３４】
第１冷媒流路開閉手段７（電磁弁１７ａ）と第２冷媒流路開閉手段８（電磁弁１７ｂ）の開閉と冷却システム１８の運転と第１蒸発器用送風機１０と第２蒸発器用送風機１１の
運転の制御を行う制御手段１４は、温度制御手段２１と、カレンダー手段２２と、タイマー手段２３を備える。
【００３５】
温度制御手段２１は、通常は、第１庫内温度検出手段１２により検知した第１商品収納室３内の空気の温度が第１商品収納室３の設定温度範囲（サーモオフ温度よりも高くサーモオン温度以下の温度、例えば、５℃±２℃）に収まるように、また、第２庫内温度検出手段１３により検知した第２商品収納室４内の空気の温度が第２商品収納室４の設定温度範囲（サーモオフ温度よりも高くサーモオン温度以下の温度、例えば、５℃±２℃）に収まるように、第１冷媒流路開閉手段７（電磁弁１７ａ）と第２冷媒流路開閉手段８（電磁弁１７ｂ）の開閉と冷却システム１８の運転と第１蒸発器用送風機１０と第２蒸発器用送風機１１の運転の制御を行う。
【００３６】
また、温度制御手段２１は、カレンダー手段２２から得た現在の月日時刻情報によりピークカット設定時間帯内に入ったことを検知した時は、冷却システム１８と第１蒸発器用送風機１０と第２蒸発器用送風機１１の運転を停止するピークカット運転を行う。
【００３７】
また、温度制御手段２１は、ピークカット運転中に自動販売機のサービスマンが、商品の補充等のために、扉を開けた場合は、扉状態検知手段２４により扉の開放状態を検知してタイマー手段２３を動作させ、タイマー手段２３により扉の開放時間（連続開放時間）を計測する。扉が閉鎖された場合は、扉状態検知手段２４により扉の閉鎖を検知してタイマー手段２３の計時動作を停止（リセット）させる。
【００３８】
そして、温度制御手段２１は、タイマー手段２３が計測したピークカット運転中の扉の開放時間（連続開放時間）が所定時間に達した場合には、ピークカット運転を解除して通常運転を行うと共にタイマー手段２３を動作させ、タイマー手段２３により通常運転を開始してからの経過時間を計測する。
【００３９】
そして、温度制御手段２１は、ピークカット運転を解除して通常運転を開始してから所定時間経過したことをタイマー手段２３により検知した時点でのカレンダー手段２２から得た現在の月日時刻情報から、ピークカット設定時間帯（ピークカット終了時刻）を過ぎていないと判断した場合は、ピークカット運転を再開する。
【００４０】
また、温度制御手段２１は、カレンダー手段２２から得た現在の月日時刻情報によりピークシフト設定時間帯内に入ったことを検知した時は、第１商品収納室３と第２商品収納室４のサーモオフ温度とサーモオン温度を、通常運転時よりも、それぞれ約２℃低くして第１商品収納室３と第２商品収納室４の温度調節を行うピークシフト運転を行う。
【００４１】
また、温度制御手段２１は、カレンダー手段２２から得た現在の月日時刻情報によりピークシフト設定時間帯でピークカット運転に移行するまでの予め決められた移行時間内に入ったことを検知した時は、第１蒸発器用送風機１０と第２蒸発器用送風機１１を停止する。
【００４２】
また、制御手段１４は、圧縮機９の運転時に第１蒸発器５と第２蒸発器６の内のどちらか一方にのみ選択的に冷媒が流れるように第１冷媒流路開閉手段７（電磁弁１７ａ）と第２冷媒流路開閉手段８（電磁弁１７ｂ）の開閉を制御すると共に、第１冷媒流路開閉手段７（電磁弁１７ａ）と第２冷媒流路開閉手段８（電磁弁１７ｂ）の開閉により圧縮機９の運転中に第１蒸発器用送風機１０と第２蒸発器用送風機１１の内のどちらか冷媒が流れなくなった蒸発器に対応する送風機を、冷媒が流れなくなった蒸発器の除霜が出来るように運転する。
【００４３】
なお、圧縮機９の能力は、第１商品収納室３と第２商品収納室４のどちらか冷却負荷の大きい方を冷却するには充分であるが、第１商品収納室３と第２商品収納室４の両方を同時に冷却するには不充分な能力である。
【００４４】
以上のように構成された本実施の形態の自動販売機１について、図３のフローチャートを参照しながら、第１商品収納室３と第２商品収納室４を交互に冷却する動作を説明する。
【００４５】
圧縮機９を含めた冷却システム１８が停止している状態（図３のスタート）から、まず、第１庫内温度検出手段１２と第２庫内温度検出手段１３により、それぞれの商品収納室内の庫内温度を検出する（図３のＳＴＥＰ１）。
【００４６】
そして、第１庫内温度検出手段１２と第２庫内温度検出手段１３の少なくともどちらか一方の検出した庫内温度が、商品保存温度より所定温度ａだけ高い温度（サーモオン温度）以上であれば（図３のＳＴＥＰ２をＹ側に分岐する場合はＳＴＥＰ３に進んで）、検出した庫内温度が高い方の商品収納室の冷却を優先して行う（図３のＳＴＥＰ４またはＳＴＥＰ５）。
【００４７】
例えば、第１庫内温度検出手段１２と第２庫内温度検出手段１３の検出温度が商品保存温度より所定温度ａだけ高い温度（サーモオン温度）以上であり（図３のＳＴＥＰ２をＹ側に分岐する場合で）、第１庫内温度検出手段１２の検出温度が第２庫内温度検出手段１３の検出温度より高い場合は（図３のＳＴＥＰ３をＹ側に分岐する場合は）、制御手段１４により第１冷媒流路開閉手段７（電磁弁１７ａ）を開、第２冷媒流路開閉手段８（電磁弁１７ｂ）を閉にして、圧縮機９を含めた冷却システム１８、第１蒸発器用送風機１０を動作させる（図３のＳＴＥＰ４）。
【００４８】
この時、第１蒸発器用送風機１０が回転して、第１商品収納室３の空気を循環させる。また、第１冷媒流路開閉手段７（電磁弁１７ａ）が開、第２冷媒流路開閉手段８（電磁弁１７ｂ）が閉の時は、冷媒は第１蒸発器５には流れるが、第２蒸発器６には流れないため、第１商品収納室３だけが冷却される。
【００４９】
そして、第１商品収納室３だけが冷却されることにより、やがて、第１庫内温度検出手段１２の検出温度が第２庫内温度検出手段１３の検出温度より低くなる（図３のＳＴＥＰ６の後、ＳＴＥＰ７をＹ側に分岐）。
【００５０】
そして、第２庫内温度検出手段１３の検出温度と第１庫内温度検出手段１２の検出温度との温度差が所定温度ｃ以上に開く（図３のＳＴＥＰ８をＹ側に分岐する）か、もしくは、第１商品収納室３のみの冷却が所定時間（例えば１０分間）継続する（図３のＳＴＥＰ９をＹ側に分岐する）か、もしくは、第１庫内温度検出手段１２と第２庫内温度検出手段１３の内で第１庫内温度検出手段１２の検出温度だけが商品保存温度より所定温度ｂだけ低い温度（サーモオフ温度）以下になる（図３のＳＴＥＰ１０をＹ側に分岐し、ＳＴＥＰ１１をＮ側に分岐する）場合は、圧縮機９を含めた冷却システム１８を動作させたまま第１冷媒流路開閉手段７（電磁弁１７ａ）を閉、第２冷媒流路開閉手段８（電磁弁１７ａ）を開にすると共に、第２蒸発器用送風機１１を運転する（図３のＳＴＥＰ１２）。
【００５１】
そして、第１冷媒流路開閉手段７（電磁弁１７ａ）が閉、第２冷媒流路開閉手段８（電磁弁１７ａ）が開になると、図３のＳＴＥＰ３をＮ側に分岐してＳＴＥＰ５に進んだ場合と同様に、冷媒は第２蒸発器６には流れるが、第１蒸発器５には流れないため、第２商品収納室４だけが冷却される。
【００５２】
なお、第１冷媒流路開閉手段７（電磁弁１７ａ）と第２冷媒流路開閉手段８（電磁弁１７ａ）の開閉が切り替わる時に、切り替え前の第１蒸発器５内を流れる液冷媒と第１蒸発器５の周囲の空気との熱交換により第１蒸発器５が着霜している場合は、第１蒸発器５に冷媒が流れていない時間と第１蒸発器用送風機１０の送風を利用して、第１蒸発器温度検出手段１９の検出する第１蒸発器５の温度が除霜完了と判定できる温度になるまで、第１蒸発器５の除霜を行う。
【００５３】
通常、第１蒸発器用送風機１０の動作により、収納室温度が冷蔵温度以上であれば除霜可能ではあるが、第１蒸発器温度検出手段１９の検出した第１蒸発器５の温度が０℃付近でサチュレート（停滞）している。もしくは第１蒸発器温度検出手段１９の検出した第１蒸発器５の温度の上昇が遅い場合は多量の着霜があると判断し、第１蒸発器用送風機１０を高速回転させる（図３のＳＴＥＰ１３）ことにより、除霜の能力（第１蒸発器５を通過する空気との熱交換量）を上げて除霜に要する時間を短縮する。
【００５４】
図３のＳＴＥＰ１３の後は、図３のＳＴＥＰ３をＮ側に分岐してＳＴＥＰ５に進んだ場合と同様に、ＳＴＥＰ１４以降の動作になる。
【００５５】
第１冷媒流路開閉手段７（電磁弁１７ａ）が閉、第２冷媒流路開閉手段８（電磁弁１７ａ）が開になって、第２商品収納室４だけが冷却されることにより、やがて、第２庫内温度検出手段１３の検出温度が第１庫内温度検出手段１２の検出温度より低くなる（図３のＳＴＥＰ１４の後、ＳＴＥＰ１５をＹ側に分岐）。
【００５６】
そして、第１庫内温度検出手段１２の検出温度と第２庫内温度検出手段１３の検出温度との温度差が所定温度ｃ以上に開く（図３のＳＴＥＰ１６をＹ側に分岐する）か、もしくは、第２商品収納室４のみの冷却が所定時間（例えば１０分間）継続する（図３のＳＴＥＰ１７をＹ側に分岐する）か、もしくは、第１庫内温度検出手段１２と第２庫内温度検出手段１３の内で第２庫内温度検出手段１３の検出温度だけが商品保存温度より所定温度ｂだけ低い温度（サーモオフ温度）以下になる（図３のＳＴＥＰ１８をＹ側に分岐し、ＳＴＥＰ１９をＮ側に分岐する）場合は、圧縮機９を含めた冷却システム１８を動作させたまま第１冷媒流路開閉手段７（電磁弁１７ａ）を開、第２冷媒流路開閉手段８（電磁弁１７ａ）を閉にすると共に、第１蒸発器用送風機１０を運転する（図３のＳＴＥＰ２０）。
【００５７】
そして、第１冷媒流路開閉手段７（電磁弁１７ａ）が開、第２冷媒流路開閉手段８（電磁弁１７ａ）が閉になると、図３のＳＴＥＰ３をＹ側に分岐してＳＴＥＰ４に進んだ場合と同様に、冷媒は第１蒸発器５には流れるが、第２蒸発器６には流れないため、第１商品収納室３だけが冷却される。
【００５８】
なお、第１冷媒流路開閉手段７（電磁弁１７ａ）と第２冷媒流路開閉手段８（電磁弁１７ａ）の開閉が切り替わる時に、切り替え前の第２蒸発器６内を流れる液冷媒と第２蒸発器６の周囲の空気との熱交換により第２蒸発器６が着霜している場合は、第２蒸発器６に冷媒が流れていない時間と第２蒸発器用送風機１１の送風を利用して、第２蒸発器温度検出手段２０の検出する第２蒸発器６の温度が除霜完了と判定できる温度になるまで、第２蒸発器６の除霜を行う。
【００５９】
通常、第２蒸発器用送風機１１の動作により、収納室温度が冷蔵温度以上であれば除霜可能ではあるが、第２蒸発器温度検出手段２０の検出した第２蒸発器６の温度が０℃付近でサチュレート（停滞）している。もしくは第２蒸発器温度検出手段２０の検出した第２蒸発器６の温度の上昇が遅い場合は多量の着霜があると判断し、第２蒸発器用送風機１１を高速回転させる（図３のＳＴＥＰ２１）ことにより、除霜の能力（第２蒸発器６を通過する空気との熱交換量）を上げて除霜に要する時間を短縮する。
【００６０】
図３のＳＴＥＰ２１の後は、図３のＳＴＥＰ３をＹ側に分岐してＳＴＥＰ４に進んだ場合と同様に、ＳＴＥＰ６以降の動作になる。
【００６１】
このようにして、第１商品収納室３と第２商品収納室４の一方の冷却と他方の除霜を交互に繰り返す。
【００６２】
そして、第１庫内温度検出手段１２と第２庫内温度検出手段１３の両方の検出温度が同時に商品保存温度より所定温度ｂだけ低い温度（サーモオフ温度）以下になる（図３のＳＴＥＰ１０とＳＴＥＰ１１をＹ側に分岐、または、ＳＴＥＰ１８とＳＴＥＰ１９をＹ側に分岐した）時点で、第１商品収納室３と第２商品収納室４の両方の商品収納室の冷却は不要と判断され、圧縮機９を含めた冷却システム１８と第１蒸発器用送風機１０及び第２蒸発器用送風機１１を停止（図３のＳＴＥＰ２２）させて冷却終了となる（図３のエンドからスタートに戻る）。
【００６３】
その後、第１庫内温度検出手段１２と第２庫内温度検出手段１３のどちらかの検出温度が商品保存温度より所定温度ａだけ高い温度（サーモオン温度）以上になる（図３のＳＴＥＰ１の後、ＳＴＥＰ２をＹ側に分岐する）と、検出した庫内温度が高い方の商品収納室の冷却を行う。
【００６４】
この時、第１庫内温度検出手段１２の検出温度が第２庫内温度検出手段１３の検出温度より高い場合は図３のＳＴＥＰ３をＹ側に分岐してＳＴＥＰ４で第１商品収納室３の冷却、逆に、第２庫内温度検出手段１３の検出温度が第１庫内温度検出手段１２の検出温度より高い場合は図３のＳＴＥＰ３をＮ側に分岐してＳＴＥＰ５で第２商品収納室４の冷却を行う。
【００６５】
もし、第１庫内温度検出手段１２の検出温度と第２庫内温度検出手段１３の検出温度が同じであれば、優先する方の商品収納室の冷却を行う。図３の例では、第２商品収納室４を優先している。
【００６６】
以上の動作（制御）を繰り返すことにより、第１商品収納室３の第１商品１５及び第２商品収納室４の第２商品１６は、サーモオフ温度を下限温度としサーモオン温度を上限温度とする商品保存温度内で保存出来る。
【００６７】
これにより第１蒸発器５と第２蒸発器６に交互に冷媒を流しながら運転を行うため、第１蒸発器５に冷媒を流している間は第２蒸発器６は除霜を行うことが出来、逆もまた同じである。そのため冷媒を流す運転前は常に除霜された蒸発器で運転開始を行うことが出来るので、高温高湿条件下における冷却においても着霜による冷却能力の低下を防ぐことが出来る。
【００６８】
また、蒸発器に対応した蒸発器温度検出手段の検出された温度から着霜していると判定した場合、その蒸発器に対応した蒸発器用送風機の回転数を上げて除霜時間の短縮を行うことが出来る。また、蒸発器に対応した蒸発器温度検出手段の検出された温度から着霜していない、または除霜完了と判定した場合は、冷媒流路の切り替えで冷媒が流れておらず着霜していない、または除霜完了と判定された蒸発器への送風を停止する。
【００６９】
また第１蒸発器５と第２蒸発器６に交互に冷媒を流しながら運転を行い同時には冷媒を流さないため、第１商品収納室３もしくは第２商品収納室４の負荷の高いどちらか一方だけを冷却出来るだけの能力で自動販売機全体を冷却することが出来る。そのため圧縮機９、凝縮器を小型化出来、結果、冷却システム１８全体を小型化することが出来るため、コ
ストダウンすることが出来る。
【００７０】
次に、図４のフローチャートを参照しながら、本実施の形態の自動販売機１の時刻による運転モードの切替動作について説明する。
【００７１】
ピークカット運転前に行うピークシフト運転の設定時間帯内に入る前（カレンダー手段２２から得た現在の月日時刻がピークシフト設定時間帯とピークカット設定時間帯のどちらでもない月日時刻である場合）は、図４のＳＴＥＰ１、ＳＴＥＰ３、ＳＴＥＰ５を、それぞれＮＯ側に分岐した後、ＳＴＥＰ１１をＹＥＳ側に分岐して、通常運転を行う（ＳＴＥＰ１２）。
【００７２】
この通常運転は、第１庫内温度検出手段１２により検知した第１商品収納室３内の空気の温度が第１商品収納室３の通常運転時の設定温度範囲（サーモオフ温度よりも高くサーモオン温度以下の温度、例えば、５℃±２℃）に収まるように、また、第２庫内温度検出手段１３により検知した第２商品収納室４内の空気の温度が第２商品収納室４の通常運転時の設定温度範囲（サーモオフ温度よりも高くサーモオン温度以下の温度、例えば、５℃±２℃）に収まるように、制御手段１４の温度制御手段２１が、図３のフローチャートに示すように、第１冷媒流路開閉手段７（電磁弁１７ａ）と第２冷媒流路開閉手段８（電磁弁１７ｂ）の開閉と冷却システム１８の運転と第１蒸発器用送風機１０と第２蒸発器用送風機１１の運転を制御する。
【００７３】
時間が経過して、カレンダー手段２２から得た現在の月日時刻がピークシフト設定時間帯に入ると、移行時間になるまでは、図４のＳＴＥＰ１をＹＥＳ側に分岐して、ピークシフト運転を行う（ＳＴＥＰ２）。
【００７４】
このピークシフト運転は、第１庫内温度検出手段１２により検知した第１商品収納室３内の空気の温度が第１商品収納室３のピークシフト運転時の設定温度範囲（サーモオフ温度よりも高くサーモオン温度以下の温度、例えば、３℃±２℃）に収まるように、また、第２庫内温度検出手段１３により検知した第２商品収納室４内の空気の温度が第２商品収納室４のピークシフト運転時の設定温度範囲（サーモオフ温度よりも高くサーモオン温度以下の温度、例えば、３℃±２℃）に収まるように、制御手段１４の温度制御手段２１が、図３のフローチャートに示すように、第１冷媒流路開閉手段７（電磁弁１７ａ）と第２冷媒流路開閉手段８（電磁弁１７ｂ）の開閉と冷却システム１８の運転と第１蒸発器用送風機１０と第２蒸発器用送風機１１の運転を制御する。
【００７５】
時間が経過して、カレンダー手段２２から得た現在の月日時刻が移行時間（ピークシフト運転時におけるピークカット運転に移行するまでの予め決められた移行時間）になると、ピークカット設定時間帯（例えば、９時から２１時）に入までは、図４のＳＴＥＰ１をＮＯ側に分岐して、ＳＴＥＰ３をＹＥＳ側に分岐して、第１蒸発器用送風機１０と第２蒸発器用送風機１１は強制的に停止させた状態で、ピークシフト運転時と同じ設定温度範囲（サーモオフ温度よりも高くサーモオン温度以下の温度、例えば、３℃±２℃）で冷却システム１８を運転する。
【００７６】
この移行時間の運転（第１蒸発器用送風機１０と第２蒸発器用送風機１１とを強制的に停止させた状態でのピークシフト運転）での、制御手段１４の温度制御手段２１による第１冷媒流路開閉手段７（電磁弁１７ａ）と第２冷媒流路開閉手段８（電磁弁１７ｂ）の開閉と冷却システム１８の運転の制御については、図３のフローチャートと同様であるが、第１蒸発器用送風機１０と第２蒸発器用送風機１１は強制的に停止させている。
【００７７】
時間が経過して、カレンダー手段２２から得た現在の月日時刻がピークカット設定時間
帯（例えば、９時から２１時）に入ると、ピークカット設定時間帯を過ぎるまで、図４のＳＴＥＰ１、ＳＴＥＰ３を、それぞれＮＯ側に分岐した後、ＳＴＥＰ５をＹＥＳ側に分岐して、冷却システム１８と第１蒸発器用送風機１０と第２蒸発器用送風機１１の運転を停止するピークカット運転を行う（ＳＴＥＰ６）。
【００７８】
ピークカット設定時間帯で、扉状態検知手段２４により扉の閉鎖状態（扉が開放状態でないこと）を検知している間は、図４のＳＴＥＰ７をＮＯ側に分岐して、ＳＴＥＰ１に戻り、再び、ＳＴＥＰ１、ＳＴＥＰ３を、それぞれＮＯ側に分岐した後、ＳＴＥＰ５をＹＥＳ側に分岐して、ＳＴＥＰ６の後、ＳＴＥＰ７をＮＯ側に分岐するループを繰り返し、ピークカット運転を継続する。
【００７９】
ピークカット運転中に自動販売機のサービスマンが、商品の補充等のために、扉を開けて、扉状態検知手段２４により扉の開放状態を検知した場合は、ＳＴＥＰ７をＹＥＳ側に分岐して、タイマー手段２３を動作させ、タイマー手段２３により扉の開放時間（連続開放時間）を計測する。
【００８０】
扉の開放状態が継続している間は、タイマー手段２３が計測したピークカット運転中の扉の開放時間（連続開放時間）が所定時間に達するまでは、ＳＴＥＰ８をＮＯ側に分岐してＳＴＥＰ１に戻り、タイマー手段２３が計測したピークカット運転中の扉の開放時間（連続開放時間）が所定時間に達する前に扉が閉鎖された場合は、扉状態検知手段２４により扉の閉鎖を検知してタイマー手段２３の計時動作を停止（リセット）させ、ＳＴＥＰ７をＮＯ側に分岐してＳＴＥＰ１に戻る。
【００８１】
タイマー手段２３が計測したピークカット運転中の扉の開放時間（連続開放時間）が所定時間に達した場合には、ＳＴＥＰ８をＹＥＳ側に分岐して、ピークカット運転を解除して、ＳＴＥＰ９に進み、ＳＴＥＰ９で、通常運転を行うと共に、タイマー手段２３を動作させ、タイマー手段２３により通常運転を開始してからの経過時間を計測する。
【００８２】
扉の開放時間（連続開放時間）が所定時間に達したことによりピークカット運転を解除して通常運転を開始してから所定時間経過するまでは、ＳＴＥＰ１０をＮＯ側に分岐してＳＴＥＰ９に戻り、扉の開放時間（連続開放時間）が所定時間に達したことによりピークカット運転を解除して通常運転を開始してから所定時間経過したことをタイマー手段２３により検知した場合は、タイマー手段２３の計時動作を停止（リセット）させ、ＳＴＥＰ１０をＹＥＳ側に分岐してＳＴＥＰ１に戻る。
【００８３】
そして、ＳＴＥＰ１０をＹＥＳ側に分岐してＳＴＥＰ１に戻った時点でのカレンダー手段２２から得た現在の月日時刻情報から、ピークカット設定時間帯（ピークカット終了時刻）を過ぎているが、ピークシフト設定時間帯（ピークシフト開示時刻）の前であると判断した場合は、図４のＳＴＥＰ１、ＳＴＥＰ３、ＳＴＥＰ５を、それぞれＮＯ側に分岐した後、ＳＴＥＰ１１をＹＥＳ側に分岐して、通常運転を行う（ＳＴＥＰ１２）。
【００８４】
また、ＳＴＥＰ１０をＹＥＳ側に分岐してＳＴＥＰ１に戻った時点でのカレンダー手段２２から得た現在の月日時刻情報から、ピークカット設定時間帯（ピークカット終了時刻）を過ぎていないと判断した場合は、ＳＴＥＰ１、ＳＴＥＰ３を、それぞれＮＯ側に分岐した後、ＳＴＥＰ５をＹＥＳ側に分岐して、冷却システム１８と第１蒸発器用送風機１０と第２蒸発器用送風機１１の運転を停止するピークカット運転を再開する（ＳＴＥＰ６）。
【００８５】
そして、ピークカット運転している時に、ピークカット設定時間帯（ピークカット終了時刻）を過ぎた場合は、ＳＴＥＰ５をＮＯ側に分岐して、ＳＴＥＰ１１をＹＥＳ側に分岐
して、通常運転を行う（ＳＴＥＰ１２）。
【００８６】
なお、ピークカット運転終了後に直ちにピークシフト運転を開始するように、ピークカット設定時間帯とピークシフト設定時間帯を設定した場合は、ＳＴＥＰ１１をＹＥＳ側に分岐して通常運転を行う（ＳＴＥＰ１２）ことが無くなる。
【００８７】
また、第１蒸発器用送風機１０と第２蒸発器用送風機１１は強制的に停止させた状態で、ピークシフト運転時と同じ設定温度範囲（サーモオフ温度よりも高くサーモオン温度以下の温度、例えば、３℃±２℃）で冷却システム１８を運転する移行時間は、ピークカット運転中に扉の開放が無い状態で、ピークカット設定時間帯（ピークカット終了時刻）を過ぎた時に、第１庫内温度検出手段１２により検知した第１商品収納室３内の空気の温度と、第２庫内温度検出手段１３により検知した第２商品収納室４内の空気の温度が、５℃±２℃になるように、ピークカット運転の開始直前の約１０分間〜約１２０分間のうちの適切な時間に設定する。
【００８８】
移行時間の間は、冷却システム１８を運転しているが、第１蒸発器用送風機１０と第２蒸発器用送風機１１が停止しているので、第１商品収納室３内と第２商品収納室４内の空気の温度が上昇する。
【００８９】
そのため、移行時間が短くなる程、第１蒸発器５と第２蒸発器６に付着する霜（氷）の量は少なくなって、第１蒸発器５と第２蒸発器６に付着した霜（氷）が第１商品収納室３内と第２商品収納室４内の空気との熱交換によって溶けるのに要する時間は短くなるが、ピークカット運転の開始時刻での第１商品収納室３内と第２商品収納室４内の空気の温度を、ピークシフト運転時の設定温度範囲（例えば、３℃±２℃）に近似する低温にすることができる。
【００９０】
逆に、移行時間が長くなる程、第１蒸発器５と第２蒸発器６に付着する霜（氷）の量は多くなって、第１蒸発器５と第２蒸発器６に付着した霜（氷）が第１商品収納室３内と第２商品収納室４内の空気との熱交換によって溶けるのに要する時間は長くなるが、第１商品収納室３内と第２商品収納室４内の空気の温度が、ピークシフト運転時の設定温度範囲（例えば、３℃±２℃）よりも移行時間の長さの分だけ上昇した温度で、ピークカット運転を開始することになる。
【００９１】
また、第１商品収納室３内と第２商品収納室４内の空気の水蒸気の量（第１蒸発器５と第２蒸発器６に付着可能な霜（氷）の量）は有限であるので、移行時間が長過ぎると、第１蒸発器５と第２蒸発器６に付着する霜（氷）の成長が停滞し、第１商品収納室３内と第２商品収納室４内の空気の温度が、ピークシフト運転時の設定温度範囲（例えば、３℃±２℃）よりも移行時間の長さの分だけ上昇した温度で、ピークカット運転を開始することになる。
【００９２】
この移行時間は、自動販売機１の断熱性能、第１商品収納室３と第２商品収納室４の容積、第１商品収納室３に収納する第１商品１５と第２商品収納室４に収納する第２商品１６の大きさ、数量、容器の形状、材質、季節、天候、自動販売機の設置環境などにより、ピークカット運転できる時間を最大にできる最適値が変化するので、予め実験して実験結果を基に設定するのが好ましい。
【００９３】
以上のように本実施の形態の自動販売機１は、冷却システム１８を強制的に駆動停止させるピークカット運転に先立って、冷却販売する商品を冷却システム１８によりピークカット運転の分まで冷やし込むピークシフト運転を行う自動販売機１であって、ピークシフト運転時におけるピークカット運転に移行するまでの予め決められた移行時間は、冷却販
売する商品（第１商品１５と第２商品１６）を収納した第１商品収納室３と第２商品収納室４の第１蒸発器５と第２蒸発器６に送風する庫内ファン（第１蒸発器用送風機１０と第２蒸発器用送風機１１）を停止させることを特徴とする。
【００９４】
上記構成において、移行時間に第１商品収納室３と第２商品収納室４の第１蒸発器５と第２蒸発器６に送風する庫内ファン（第１蒸発器用送風機１０と第２蒸発器用送風機１１）を停止させると、第１蒸発器５と第２蒸発器６は第１商品収納室３と第２商品収納室４の空気との熱交換量が減って、第１蒸発器５と第２蒸発器６の表面温度と第１商品収納室３と第２商品収納室４の空気の温度との温度差が大きくなり、その結果、第１蒸発器５と第２蒸発器６の着霜が促進され、ピークカット運転の開始時には第１蒸発器５と第２蒸発器６は通常よりも厚い霜（氷）で覆われる。
【００９５】
そして、氷は、保冷材（蓄冷材）として機能するので、第１蒸発器５と第２蒸発器６に霜（氷）が残っている間は、ピークカット運転中の第１商品収納室３内と第２商品収納室４内の温度の上昇を抑制することができる。
【００９６】
したがって、商品が冷却され過ぎることによる課題がなく、低コストで、冷却システム１８の停止時間を長くすることができる。
【００９７】
なお、移行時間に、第１蒸発器用送風機１０と第２蒸発器用送風機１１は強制的に停止させた状態で、３℃±２℃の設定温度範囲で冷却システム１８を運転することによりピークカット運転開始後の第１商品収納室３内と第２商品収納室４内の空気の温度が７℃に達するまでの時間は、この移行時間を設けない場合よりも、約１０分〜約９０分長くなると期待される。
【００９８】
また、本実施の形態の自動販売機１の運転方法は、冷却システム１８を強制的に駆動停止させるピークカット運転に先立って、冷却販売する商品を冷却システム１８によりピークカット運転の分まで冷やし込むピークシフト運転を行う自動販売機１の運転方法であって、ピークシフト運転時におけるピークカット運転に移行するまでの予め決められた移行時間は、冷却販売する商品（第１商品１５と第２商品１６）を収納した第１商品収納室３と第２商品収納室４の第１蒸発器５と第２蒸発器６の表面の着霜量を強制的に増やすことを特徴とする。
【００９９】
氷は、保冷材（蓄冷材）として機能するので、第１蒸発器５と第２蒸発器６に霜（氷）が残っている間は、ピークカット運転中の第１商品収納室３内と第２商品収納室４内の温度の上昇を抑制することができる。
【０１００】
したがって、商品が冷却され過ぎることによる課題がなく、低コストで、冷却システム１８の停止時間を長くすることができる。
【０１０１】
また、本実施の形態の自動販売機１の運転方法は、冷却システム１８を強制的に駆動停止させるピークカット運転に先立って、冷却販売する商品を冷却システム１８によりピークカット運転の分まで冷やし込むピークシフト運転を行う自動販売機１の運転方法であって、冷却販売する商品（第１商品１５と第２商品１６）を収納した第１商品収納室３と第２商品収納室４の第１蒸発器５と第２蒸発器６の表面に通常よりも厚く霜を付着させた状態でピークカット運転を開始することを特徴とする。
【０１０２】
氷は、保冷材（蓄冷材）として機能するので、第１蒸発器５と第２蒸発器６に霜（氷）が残っている間は、ピークカット運転中の第１商品収納室３内と第２商品収納室４内の温度の上昇を抑制することができる。
【０１０３】
したがって、商品が冷却され過ぎることによる課題がなく、低コストで、冷却システム１８の停止時間を長くすることができる。
【産業上の利用可能性】
【０１０４】
以上のように、本発明は、商品が冷却され過ぎることによる課題がなく、低コストで、冷却システムの停止時間を長くすることができるので、低コストで冷却システムの停止時間を長くしたい用途の飲料自動販売機に最適である。
【符号の説明】
【０１０５】
１      自動販売機
３      第１商品収納室
４      第２商品収納室
５      第１蒸発器
６      第２蒸発器
７      第１冷媒流路開閉手段
８      第２冷媒流路開閉手段
９      圧縮機
１０    第１蒸発器用送風機
１１    第２蒸発器用送風機
１２    第１庫内温度検出手段
１３    第２庫内温度検出手段
１４    制御手段
１５    第１商品
１６    第２商品
１７ａ  電磁弁
１７ｂ  電磁弁
１８    冷却システム
１９    第１蒸発器温度検出手段
２０    第２蒸発器温度検出手段
２１    温度制御手段
２２    カレンダー手段
【図１】
2015225566.tif 000003
【図２】
2015225566.tif 000004
【図３】
2015225566.tif 000005
【図４】
2015225566.tif 000006